(57)【特許請求の範囲】
【請求項１】
パネルの両側に設けられたガイドレールと、パネルに対して上下方向に相対移動可能となる様パネルの両側上端に設けられたピンと、該ピンに係着され、該ピンを介して前記パネルを昇降するチェーンと、前記ピンに連結された連結部材と、該連結部材を下方に引張る弾性部材と前記ピンの相対変位に連動して開閉する１対の係止部材とを具備し、前記チェーンの張力が失われると、前記弾性部材により前記連結部材がパネルに対して下方に相対移動し、前記係止部材が開いて前記ガイドレールに係合することを特徴とするパネルシャッタ。
【請求項２】
前記係止部材は、前記連結部材の相対変位により回転し、円軌道の移動により前記ガイドレールと係合する請求項１のパネルシャッタ。
【請求項３】
前記係止部材は、前記連結部材の相対変位により水平方向に摺動し、水平方向の移動により前記ガイドレールと係合する請求項１のパネルシャッタ。
【請求項４】
前記ガイドレールの内面に落下防止片が設けられ、前記係止部材が前記落下防止片に係合することでパネルの落下が停止する請求項２又は請求項３のパネルシャッタ。
【請求項５】
前記ガイドレールに孔が穿設され、前記係止部材が前記孔に係合することでパネルの落下が停止する請求項２又は請求項３のパネルシャッタ。
【請求項６】
前記係止部材にパッドを設け、該パッドを前記ガイドレールに接触させ、前記パッドと前記ガイドレールとの摩擦力により前記パネルの落下が停止する請求項２又は請求項３のパネルシャッタ。
【発明の詳細な説明】
【技術分野】
【０００１】
本発明はパネルシャッタ、特にパネルの落下を瞬時に停止させるパネルシャッタの落下防止装置を具備したパネルシャッタに関するものである。
【背景技術】
【０００２】
先ず、図１０〜図１４に於いて、従来のパネルシャッタ１の構造について説明する。
【０００３】
各パネル２の両側上端が、ロングピン３を介して開閉チェーン４に係着され、該開閉チェーン４は後述するモータ５によって駆動される捲上下げスプロケット６に掛回されている。
【０００４】
又、前記ロングピン３の先端にはサイドローラ７が回転自在に設けられ、該サイドローラ７は前記パネル２の左右に設けられたガイドレール８によって案内される様になっており、前記パネルシャッタ１の下端には水切１０が設けられている。
【０００５】
前記パネルシャッタ１の上部にはパネル収納ボックス９が設けられ、該パネル収納ボックス９には前記モータ５が取付けられていると共に、該モータ５の反対側の前記パネル収納ボックス９の両端には前記捲上下げスプロケット６が設けられている。前記モータ５の出力軸には出力スプロケット１１が嵌着され、該出力スプロケット１１は連結チェーン１２を介して図示しない捲取り連結プレートの一端に嵌着されたアイドラスプロケット１３に連結されており、該アイドラスプロケット１３は前記出力スプロケット１１により、前記連結チェーン１２を介して従動回転される。
【０００６】
又、前記捲取り連結プレートには、もう一つのアイドラスプロケット１４が嵌着され、該アイドラスプロケット１４は被動スプロケット１５に捲取りチェーン１６を介して連結されており、前記被動スプロケット１５は一端の前記捲上下げスプロケット６の回転軸に嵌着されている。前記被動スプロケット１５は前記捲取りチェーン１６を介して前記アイドラスプロケット１４によって従動回転され、前記被動スプロケット１５の回転により前記捲上下げスプロケット６が回転される様になっている。尚、図示はしないが、前記捲取り連結プレートの他端には、アイドラスプロケット１４と同形状のアイドラスプロケットが嵌着され、該アイドラスプロケットは捲取りチェーンを介して他端の前記捲上下げスプロケット６に連結されており、前記パネルシャッタ１はパネル２を両端から捲上下げする様になっている。
【０００７】
前記パネル収納ボックス９の上部には、前記捲上下げスプロケット６の接線方向に傾斜したパネル格納ガイド１７が設けられ、該パネル格納ガイド１７の下方には該パネル格納ガイド１７と平行に規制ガイド１８が設けられ、該規制ガイド１８と前記ガイドレール８との間には導入ガイド１９が設けられている。
【０００８】
尚、２１は前記捲上下げスプロケット６から前記開閉チェーン４が外れるのを防止するチェーン押えである。
【０００９】
パネル２を昇降する際には、前記モータ５を駆動することにより前記出力スプロケット１１と前記連結チェーン１２を介して前記アイドラスプロケット１３が回転され、該アイドラスプロケット１３を介して前記アイドラスプロケット１４が回転され、該アイドラスプロケット１４と前記捲取りチェーン１６を介して被動スプロケット１５が回転され、該被動スプロケット１５を介して前記捲上下げスプロケット６が回転される。
【００１０】
該捲上下げスプロケット６が回転されることで、該捲上下げスプロケット６に掛回された前記開閉チェーン４が捲上下げされ、パネル２が前記ガイドレール８に案内されて昇降する。
【００１１】
パネル２を格納する場合は、前記モータ５を駆動させることで前記開閉チェーン４が捲上げられ、パネル２の上端の前記サイドローラ７が捲上下げスプロケット６を乗越えると、前記サイドローラ７が前記パネル格納ガイド１７に軌乗する様になり、又パネル２の下端に設けられたガイドピン２２が前記導入ガイド１９を介して前記規制ガイド１８側に導かれ、パネル２は前記パネル格納ガイド１７に吊下げられた姿勢で、該パネル格納ガイド１７の前記モータ５側より順次格納されていく。
【００１２】
上記の様に、パネルシャッタ１は複雑な捲取り構造となっており、前記開閉チェーン４の切断、前記連結チェーン１２の切断、前記捲取りチェーン１６の切断等パネル２が落下する要因が数多く存在する。
【００１３】
然し乍ら、従来のパネルシャッタ１では、全ての要因に対応したパネル２の落下防止装置を具備したものはなかった。
【先行技術文献】
【特許文献】
【００１４】
【特許文献１】特開平９−４１８４４号公報
【発明の概要】
【発明が解決しようとする課題】
【００１５】
本発明は斯かる実情に鑑み、パネルが落下した際に即座にパネルの落下を停止でき、更に容易に実現可能なパネルシャッタを提供するものである。
【課題を解決するための手段】
【００１６】
本発明は、パネルの両側に設けられたガイドレールと、パネルに対して上下方向に相対移動可能となる様パネルの両側上端に設けられたピンと、該ピンに係着され、該ピンを介して前記パネルを昇降するチェーンと、前記ピンに連結された連結部材と、該連結部材を下方に引張る弾性部材と前記ピンの相対変位に連動して開閉する１対の係止部材とを具備し、前記チェーンの張力が失われると、前記弾性部材により前記連結部材がパネルに対して下方に相対移動し、前記係止部材が開いて前記ガイドレールに係合するパネルシャッタに係るものである。
【００１７】
又本発明は、前記係止部材は、前記連結部材の相対変位により回転し、円軌道の移動により前記ガイドレールと係合するパネルシャッタに係り、又前記係止部材は、前記連結部材の相対変位により水平方向に摺動し、水平方向の移動により前記ガイドレールと係合するパネルシャッタに係るものである。
【００１８】
又本発明は、前記ガイドレールの内面に落下防止片が設けられ、前記係止部材が前記落下防止片に係合することでパネルの落下が停止するパネルシャッタに係り、又前記ガイドレールに孔が穿設され、前記係止部材が前記孔に係合することでパネルの落下が停止するパネルシャッタに係り、又前記係止部材にパッドを設け、該パッドを前記ガイドレールに接触させ、前記パッドと前記ガイドレールとの摩擦力により前記パネルの落下が停止するパネルシャッタに係るものである。
【発明の効果】
【００１９】
本発明によれば、パネルの両側に設けられたガイドレールと、パネルに対して上下方向に相対移動可能となる様パネルの両側上端に設けられたピンと、該ピンに係着され、該ピンを介して前記パネルを昇降するチェーンと、前記ピンに連結された連結部材と、該連結部材を下方に引張る弾性部材と前記ピンの相対変位に連動して開閉する１対の係止部材とを具備し、前記チェーンの張力が失われると、前記弾性部材により前記連結部材がパネルに対して下方に相対移動し、前記係止部材が開いて前記ガイドレールに係合するので、装置構成が簡易であり、又落下防止具の取付けも容易であり、低コスト且つ大きな労力を要することなく落下するパネルの停止を実現できる。
【００２０】
又本発明によれば、前記係止部材は、前記連結部材の相対変位により回転し、円軌道の移動により前記ガイドレールと係合するので、ピンの移動距離が短くてよく、該ピンを移動可能に設けるパネルの加工費用を削減できる。
【００２１】
又本発明によれば、前記係止部材は、前記連結部材の相対変位により水平方向に摺動し、水平方向の移動により前記ガイドレールと係合するので、係合後は前記係止部材の移動が拘束され、前記ガイドレールとの接触状態を一定に保つことができる。
【００２２】
又本発明によれば、前記ガイドレールの内面に落下防止片が設けられ、前記係止部材が前記落下防止片に係合することでパネルの落下が停止するので、該パネルの落下を即座に停止させることができ、該パネル落下時に於ける事故の発生を大幅に抑制することができる。
【００２３】
又本発明によれば、前記ガイドレールに孔が穿設され、前記係止部材が前記孔に係合することでパネルの落下が停止するので、該パネルの落下を即座に停止することができ、更に前記ガイドレールの加工が容易となり、パネル落下時の事故発生を抑制できると共に、前記ガイドレールの加工に要する労力を軽減できる。
【００２４】
更に又本発明によれば、前記係止部材にパッドを設け、該パッドを前記ガイドレールに接触させ、前記パッドと前記ガイドレールとの摩擦力により前記パネルの落下が停止するので、前記ガイドレールを加工することなく実施可能であり、実施コストを更に削減することができるという優れた効果を発揮する。
【図面の簡単な説明】
【００２５】
【図１】本発明に於けるパネルシャッタの正面図である。
【図２】本発明に於けるパネルの要部拡大縦断面図である。
【図３】本発明に於ける遊嵌ブロックの斜視図である。
【図４】図１のＡ−Ａ矢視図であり、（Ａ）は第１の実施例に於ける落下防止爪が閉状態の場合を示し、（Ｂ）は第１の実施例に於ける落下防止爪が開状態の場合を示している。
【図５】第１の実施例に於ける落下防止具の斜視図であり、（Ａ）は落下防止爪が閉状態の場合を示し、（Ｂ）は落下防止爪が開状態の場合を示している。
【図６】第１の実施例に於ける落下防止爪の斜視図を示している。
【図７】第２の実施例に於ける要部拡大図であり、（Ａ）は落下防止爪が閉状態の場合を示し、（Ｂ）は落下防止爪が開状態の場合を示している。
【図８】第３の実施例に於ける要部拡大図であり、（Ａ）は落下防止爪が閉状態の場合を示し、（Ｂ）は落下防止爪が開状態の場合を示している。
【図９】第４の実施例に於ける要部拡大図であり、（Ａ）は落下防止ブロックが閉状態の場合を示し、（Ｂ）は落下防止ブロックが開状態の場合を示している。
【図１０】パネルシャッタの正面図である。
【図１１】パネルシャッタの側面図である。
【図１２】従来のパネルシャッタの拡大正面図である。
【図１３】パネル格納ボックスの側面図である。
【図１４】図１３のＢ−Ｂ矢視図である。
【発明を実施するための形態】
【００２６】
以下、図面を参照しつつ本発明の実施例を説明する。
【００２７】
先ず、図１〜図３及び図４（Ａ），（Ｂ）、図５（Ａ），（Ｂ）、図６に於いて、本発明の第１の実施例について説明する。尚、パネルシャッタ１の構造については従来のものと同等であるので説明を簡略化する。
【００２８】
各パネル２は両側上端がロングピン３を介して開閉チェーン４に係着されている。又、最下段のパネル２は、両端に設けられたブロック部２３と、該ブロック部２３，２３を前後から挾込む板部２４とで構成されている。前記ブロック部２３には側面を貫通し、長径が縦方向である長孔２５が穿設されており、該長孔２５の貫通する水平方向の中途部には該長孔２５と直交する方向に広がる空間２６が形成されている。前記空間２６には直方体形状の遊嵌ブロック２７が遊嵌されており、該遊嵌ブロック２７は前後方向及び左右方向の動きを前記空間２６によって拘束され、上下方向にのみ少なくとも前記長孔２５の長径分だけ移動可能となっており、該長孔２５の長さを増減させることで、前記遊嵌ブロック２７の移動距離を調整することができる。
【００２９】
又、前記遊嵌ブロック２７の中心を円筒部２８が貫通し、該円筒部２８は前記長孔２５に対して上下方向に摺動自在に嵌合している。該円筒部２８に前記ロングピン３が貫通し、該ロングピン３の先端に設けられたサイドローラ７は前記パネル２の側方に設けられたガイドレール８によって案内される様になっている。該ガイドレール８は断面がコ字状であり、前記パネル２の両端を覆い、該パネル２の端部が外部に露出しない様になっている。又、前記ガイドレール８の両内壁面には、所定間隔で複数の落下防止片２０が、それぞれ対向する位置にネジやリベット、溶接等で固着されている。
【００３０】
又、最下段以外の各パネル２の両側下端には、ガイドピン２２が前記開閉チェーン４の軌道を遮らない位置に設けられ、最下段のパネル２の両端には落下防止具２９が固着され、更に該落下防止具２９は前記開閉チェーン４の下端と連結されている。前記ロングピン３と前記開閉チェーン４と落下防止片２０と前記ブロック部２３と前記遊嵌ブロック２７と前記落下防止具２９とで落下防止装置を構成している。
【００３１】
次に、前記落下防止具２９の詳細について説明する。
【００３２】
該落下防止具２９は、爪保持部３０と、連結部材である連結プレート３１と、係止部材である１対の落下防止爪３２と、弾性部材であるバネ３３によって構成されている。
【００３３】
前記爪保持部３０は断面が上部３０ａ、背部３０ｂ、下部３０ｃからなるコ字形状となる様凹部が形成された直方体であり、前記背部３０ｂが前記ブロック部２３の端面２３ａにネジ等の固着具により固着されている。又、前記背部３０ｂの上方左右にはそれぞれ爪支持軸３４が立設されている。
【００３４】
前記爪保持部３０の前記上部３０ａ中央には前記開閉チェーン４が通過できない大きさの開口面積を有する矩形形状の孔が上下に穿設され、該孔を前記連結プレート３１が上下に貫通している。又、該連結プレート３１の平断面は矩形となっており、該連結プレート３１を垂直方向に貫通する連結ピン３５が前面及び背面にそれぞれ突出する様設けられている。前記連結プレート３１の上端が前記開閉チェーン４の下端に連結され、前記連結プレート３１の下端と前記爪保持部３０の下部３０ｃとの間に前記バネ３３が設けられている。
【００３５】
尚、前記背部３０ｂや前記下部３０ｃに前記連結プレート３１の下端と当接可能な図示しないストッパを設けるか、或は前記連結プレート３１に前記上部３０ａの上面と当接可能な図示しないストッパを設ける等、前記連結プレート３１の下方への移動を制限することで、前記落下防止具２９単体での保管時に部品がバラバラになりにくくなり、保管が容易となる。更に、図示しないストッパは組立てを容易にする様着脱可能であるのが望ましい。
【００３６】
前記１対の落下防止爪３２，３２は点対称な形状であり、図６に示される様に外形形状が略直角三角形形状をしており、該落下防止爪３２，３２は下方に延出し、下端が尖端となっている係合アーム部３２ａ、水平方向に延出するリンクアーム部３２ｂ、隣接する前記落下防止爪３２の前記リンクアーム部３２ｂとの干渉を避ける為の逃げ部３２ｃが形成されている。前記落下防止爪３２の直角部には前記爪支持軸３４に嵌合可能な孔３６が穿設され、前記リンクアーム部３２ｂには前記連結ピン３５に遊嵌可能で左右方向に長い長孔３７が穿設されている。
【００３７】
１対の前記落下防止爪３２，３２の前記孔３６に前記爪支持軸３４をそれぞれ嵌合させ、更に前記連結プレート３１の前面及び背面から前記長孔３７を前記連結ピン３５に遊嵌させる。
【００３８】
前記落下防止具２９を組立てた状態では、該連結プレート３１の上下動きに応じ、前記連結ピン３５が前記長孔３７を移動することで、前記落下防止爪３２，３２が前記爪支持軸３４を中心に円軌道で移動して開閉する様になっている。又、該落下防止爪３２，３２の先端部は、該落下防止爪３２が開状態の時に前記ガイドレール８と平行となる様内側に屈曲している。
【００３９】
又、前記落下防止爪３２の閉状態では、前記リンクアーム部３２ｂが前記上部３０ａと当接しており、該上部３０ａは前記落下防止爪３２が閉状態でのストッパであると共に、前記連結プレート３１の上方への移動制限構造となっている。
【００４０】
前記バネ３３は、前記連結プレート３１の下端と、前記爪保持部３０の下部３０ｃ上面とに係着され、前記連結プレート３１を所定の引張力で付勢する様初期撓みが与えられている。
【００４１】
又、前記落下防止具２９は最下段のパネル２に設けられているので、前記バネ３３には前記爪保持部３０の下部３０ｃを介して少なくともパネル１枚分の荷重が掛けられる。前記バネ３３に付勢された初期張力は、前記連結プレート３１の変位量分の伸びがパネル１枚分の荷重を上回らない様、予めバネ係数が調整されているので、パネル１枚分の荷重により前記開閉チェーン４に発生する上向きの張力は、前記バネ３３に付勢された初期張力よりも大きくなり、パネル２の自重が作用している間は前記落下防止爪３２が閉状態となる様になっている。
【００４２】
パネル２を昇降する際には、モータ５を駆動することにより捲上下げスプロケット６が回転され、該捲上下げスプロケット６が回転されることで、前記開閉チェーン４が捲上下げされ、パネル２がガイドレール８に案内されて昇降する。
【００４３】
最下段のパネル２は、自重により前記ロングピン３に対して下方に相対変位、即ち該ロングピン３はパネル２に対して上方に相対変位している。従って、前記開閉チェーン４を介して前記連結プレート３１が上方に引上げられ、前記落下防止爪３２が閉じている。
【００４４】
尚、前記バネ３３は前記連結プレート３１を下方に引下げる様作用しているが、初期張力をパネル２の自重よりも小さくしているので、前記落下防止爪３２の閉状態は変らない。
【００４５】
前記ロングピン３に作用するパネル２の自重により、前記遊嵌ブロック２７はパネル２に対して上方向に相対移動し、該遊嵌ブロック２７は前記空間２６の上端に位置する。又、前記連結プレート３１が上方に相対変位することで、前記落下防止爪３２が前記連結プレート３１を介して、前記落下防止爪３２の下端部が爪支持軸３４を中心に内側に円軌道で移動することで前記落下防止爪３２が閉状態となる。この状態では、該落下防止爪３２は前記ガイドレール８や前記落下防止片２０と接触せず、パネル２の昇降を妨げない。
【００４６】
又、パネル２が前記パネル収納ボックス９に格納された際には、前記ロングピン３が前記パネル格納ガイド１７に軌乗し、前記ロングピン３にパネル１枚分の重量が掛り、前記遊嵌ブロックが上方向に相対移動するので、該遊嵌ブロック２７が前記空間２６の上端に位置し、前記落下防止爪３２は閉状態のままとなる。
【００４７】
何らかの理由により前記開閉チェーン４、前記連結チェーン１２、又は前記捲取りチェーン１６のいずれか或は複数が切れた場合、例えば前記開閉チェーン４が切れた場合は両側の前記連結プレート３１に掛るパネル２の自重がなくなることで上向きの張力が失われ、又前記連結チェーン１２又は前記捲取りチェーン１６が切れた場合は、チェーンが切れた側の前記連結プレート３１に掛るパネル２の自重がなくなることで前記開閉チェーン４に掛る上向きの張力が失われる。
【００４８】
チェーン４，１２，１６の切断により上向きの張力が失われると、前記連結プレート３１及び該連結プレート３１から前記開閉チェーン４を介して前記ロングピン３に作用するのは、前記バネ３３の弾性力による下向きの初期張力のみとなる為、前記連結プレート３１が下向きに引張られ、前記連結ピン３５が前記長孔３７内を下方に相対変位し、前記連結ピン３５を介して前記落下防止爪３２の下端が円軌道で外側に回転することで前記落下防止爪３２が開状態となる。
【００４９】
この時、前記開閉チェーン４を介して前記ロングピン３も下向きに引張られ、該ロングピン３を介して前記遊嵌ブロック２７が下方向に相対移動し、該遊嵌ブロック２７が前記長孔２５及び前記空間２６の下端に位置する。
【００５０】
該落下防止爪３２が開状態になると、該落下防止爪３２の先端が前記落下防止片２０上面に当接し、前記落下防止爪３２が前記落下防止片２０と係合することで、パネル２の落下を即座に停止させることができる。
【００５１】
尚、本実施例では前記ロングピン３と前記連結プレート３１を前記開閉チェーン４によって連結したが、該開閉チェーン４とは別に連結手段を設け、該連結手段により前記ロングピン３と前記連結プレート３１を連結し、前記ロングピン３から張力が失われることで前記バネ３３が直接前記ロングピン３を引下げ、それに連動して前記落下防止爪３２が開状態となる様にしてもよい。
【００５２】
又、前記落下防止具２９は、最下段のパネル２だけではなく、他のパネル２に複数設ける様にしてもよい。この場合、前記ロングピン３と前記連結プレート３１は前記開閉チェーン４以外の部材によって連結する。前記落下防止具２９を複数設けることで、該落下防止具２９に掛る衝撃を分散させることができるので、前記落下防止片２０との当接時に於ける前記落下防止爪３２の破損を防ぎ、パネル２の落下防止効果をより高めることができる。
【００５３】
次に、図７（Ａ），（Ｂ）に於いて、本発明の第２の実施例について説明する。尚、図７中、図４と同等のものには同符号を付し、その説明を省略する。
【００５４】
本実施例では、前記ガイドレール８の両壁の、それぞれ対向する位置に所定間隔で複数の落下防止孔３８が穿設されており、又、落下防止具２９は爪保持部３０に爪支持軸３４を介して係止部材である１対の落下防止爪３９，３９を保持しており、該落下防止爪３９，３９は該落下防止爪３９に穿設された長孔３７が連結プレート３１の連結ピン３５に遊嵌している。該落下防止爪３９の先端は鋭く、尖端となっており、該落下防止爪３９が開状態の場合には、該落下防止爪３９の先端間の距離が前記ガイドレール８の両壁間の距離よりも広くなる様に遊嵌ブロック２７に穿設された長孔２５の長さが設定されている。
【００５５】
通常の状態では、各パネル２のロングピン３を介してパネル２が開閉チェーン４に係着されることで、該開閉チェーン４には上向きの張力が発生し、バネ３３には爪保持部２９を介してパネル２の自重が作用する。前記バネ３３の張力はパネル２の自重よりも小さいので、前記連結ピン３５が前記爪支持軸３４に対して上方に相対変位し、該連結プレート３１は上方に引張られ、前記落下防止爪３９は閉状態となっている。
【００５６】
何らかの理由により前記開閉チェーン４、連結チェーン１２、捲取りチェーン１６の少なくとも１つが切れると、例えば前記開閉チェーン４が切れた場合は両側の前記連結プレート３１に掛るパネル２の自重がなくなることで上向きの張力が失われ、又前記連結チェーン１２又は前記捲取りチェーン１６が切れた場合は、チェーンが切れた側の前記連結プレート３１に掛るパネル２の自重がなくなることで上向きの張力が失われる。張力が失われ、前記バネ３３により連結プレート３１が下方に引張られることで、前記連結ピン３５が前記爪支持軸３４に対して下方に相対変位して前記落下防止爪３９が開状態となる。
【００５７】
該落下防止爪３９が開状態となると、該落下防止爪３９の先端が前記落下防止孔３８と合致したところで前記落下防止爪３９が更に開き、該落下防止爪３９の先端が前記落下防止孔３８より突出し、突出した前記落下防止爪３９の先端部が前記落下防止孔３８の下縁と当接し、前記落下防止爪３９を介してガイドレール８にパネル２の自重が支持されるので、パネル２の落下が即座に停止する。
【００５８】
尚、第１の実施例と同様、落下防止具２９を複数のパネル２に設けることで、前記落下防止爪３９が受ける衝撃を分散させることができ、前記落下防止孔３８の下縁との当接時に前記落下防止爪３９が破損するのを防止することができるので、パネル２の落下防止効果をより向上させることができる。
【００５９】
又、前記落下防止爪３９の先端を外側に屈曲させることで、該落下防止爪３９の先端が前記落下防止孔３８より突出しやすくなり、パネル２の落下防止効果を更に向上させることができる。
【００６０】
次に、図８（Ａ），（Ｂ）に於いて、本発明の第３の実施例について説明する。尚、図８中、図４中と同等のものには同符号を付し、その説明を省略する。
【００６１】
本実施例では、第１の実施例に於ける落下防止具２９の落下防止爪３２の屈曲した先端部の外側面に、ゴム等摩擦係数が大きい材質で作られた落下防止パッド４０を固着し、落下防止爪４１，４１としたものである。
【００６２】
開閉チェーン４、連結チェーン１２、捲取りチェーン１６が切れ、連結プレート３１に作用するパネル２の自重がなくなり、上向きの張力が失われた場合には、バネ３３による下向きの張力により前記連結プレート３１が下方に引張られ、連結ピン３５が爪支持軸３４に対して下方に相対変位して前記落下防止爪４１が開状態となる。
【００６３】
該落下防止爪４１が開状態となると、前記落下防止パッド４０がガイドレール８に突出されることで、前記落下防止パッド４０と前記ガイドレール８の摩擦により前記落下防止爪４１と前記ガイドレール８とが係合し、パネル２の落下を停止させることができる。
【００６４】
尚、パネル２の落下をより迅速に停止させる様、前記バネ３３の初期張力はパネル２の自重を越えない範囲で大きい方が望ましい。又、前記落下防止パッド４０の表面を縞形状、或は網目形状とすることで、該落下防止パッド４０と前記ガイドレール８との摩擦力を高めることができる。
【００６５】
更に、前記落下防止具２９を、最下段のパネル２に加えて他のパネル２にも設けることで、最下段の前記落下防止具２９に掛る衝撃を分散させると共に、該落下防止具２９を追加した分だけ摩擦力を増加させることができるので、パネル２の落下防止機能を更に向上させることができる。
【００６６】
又、本実施例に於いて、第１の実施例に示した落下防止片２０を合わせて用いてもよい。
【００６７】
次に、図９（Ａ），（Ｂ）に於いて、本発明の第４の実施例について説明する。尚、図９中、図４中と同等のものには同符号を付し、その説明を省略する。
【００６８】
本実施例に於ける落下防止具４２は、ブロック保持部４３と、連結部材である連結プレート４４と、圧下ブロック４５と、左右対称に設けられた係止部材である１対の落下防止ブロック４６と、弾性部材であるバネ４７とで構成されている。
【００６９】
前記ブロック保持部４３は、断面が上部４３ａ、背部４３ｂ、下部４３ｃからなるコ字形状となる様凹部が形成された直方体であり、前記上部４３ａの中心には上面から下面迄を貫通する図示しない孔が穿設されている。前記ブロック保持部４３は、前記背部４３ｂをパネル２の両端のブロック部２３の端面２３ａにネジ等の固着具で固着されることで、パネル２に取付けられている。
【００７０】
前記連結プレート４４は、前記上部４３ａに穿設された孔を貫通すると共に、上端が開閉チェーン４に連結され、下端が前記圧下ブロック４５と連結されている。
【００７１】
該圧下ブロック４５は、長方形の下両角部が面取りされた長方形と台形を合わせた６角形形状となっており、斜面４５ａが形成されると共に下辺が上辺よりも短くなっている。又、該圧下ブロック４５は、前記連結プレート４４と開閉チェーン４を介してロングピン３と連動してパネル２に対して上下方向に相対移動する様になっている。
【００７２】
前記落下防止ブロック４６は、左右方向、即ち前記連結プレート４４に対して水平方向に摺動自在となる様、前記ブロック保持部４３の背部４３ｂに取付けられ、外側面にはゴム等摩擦係数の大きい部材からなる落下防止パッド４８が取付けられている。又、長方形の少なくとも内側上角部が面取された長方形と台形を合わせた６角形形状となっており、斜面４６ａが形成され、該斜面４６ａは前記斜面４５ａに摺動可能に当接する。
【００７３】
前記バネ４７は、前記圧下ブロック４５の下端と前記ブロック保持部４３の下部４３ｃの上面を連結する様に設けられており、前記バネ４７の初期張力は、パネル２の自重により遊嵌ブロック２７が上方に相対変位することで発生する前記圧下ブロック４５への上向きの張力よりも小さくなっている。
【００７４】
通常、前記開閉チェーン４にはパネル２の自重により上向きの張力が発生しており、又前記バネ４７には前記連結プレート４４の変位量分の伸びがパネル１枚分の荷重を上回らない様、バネ係数が調整された初期張力が予め付勢されている。従って、パネル２の重量は前記バネ４７の初期張力よりも大きくなり、前記連結プレート４４がバネ力に対向して下方に変位し、前記バネ４７が引延され、遊嵌ブロック２７が前記ロングピン３を介して空間２６の上端に位置する様になっている。
【００７５】
前記開閉チェーン４、連結チェーン１２、捲取りチェーン１６が何らかの理由で切れた場合には、前記ロングピン３及び前記連結プレート４４に対して作用する上向きの張力が失われ、前記バネ４７により前記圧下ブロック４５が下方に引張られる。
【００７６】
該圧下ブロック４５が下方に引張られると、斜面４５ａ、斜面４６ａを介して前記圧下ブロック４５の上下変位が前記落下防止ブロック４６の左右方向の変位に変換され、該落下防止ブロック４６が前記ブロック保持部４３に対して外側方向に摺動することで、前記落下防止パッド４８がガイドレール８に突出され、前記落下防止パッド４８と前記ガイドレール８との摩擦により前記落下防止ブロック４６と前記ガイドレール８とが係合し、パネル２の落下が停止する。又、前記圧下ブロック４５は、前記落下防止ブロック４６を外側方向に摺動させた後、前記落下防止ブロック４６，４６間に入り込むので、該落下防止ブロック４６の内側方向への移動が妨げられ、前記落下防止パッド４８と前記ガイドレール８との摩擦力が維持される。
【００７７】
又、前記圧下ブロック４５及び前記連結プレート４４は、前記開閉チェーン４を介して連結された前記ロングピン３の動きと連動して上下方向に相対移動するので、前記ブロック部２３の長孔２５の長さを調整し、移動距離を制限することで、前記圧下ブロック４５が下方に移動し過ぎて前記落下防止ブロック４６，４６間を通り過ぎるのを防止することができる。
【００７８】
更に、前記落下防止具４２を、最下段のパネル２に加えて他のパネル２にも設けることで、最下段の前記落下防止具４２に掛る衝撃を分散させると共に、該落下防止具４２を追加した分だけ摩擦力を増加させることができるので、パネル２の落下防止機能を更に向上させることができる。
【００７９】
尚、本実施例では前記落下防止ブロック４６の外側面に前記落下防止パッド４８を設け、該落下防止パッド４８と前記ガイドレール８との摩擦によりパネル２の落下を停止させる構造としたが、第１の実施例の様に前記ガイドレール８に落下防止片２０を設け、該落下防止片２０と前記落下防止ブロック４６を係合させてパネル２の落下を停止させる構造としてもよいし、第２の実施例の様に前記ガイドレール８に落下防止孔３８を穿設し、該落下防止孔３８から前記落下防止ブロック４６を突出させ、該落下防止ブロック４６を前記落下防止孔３８に嵌合させることでパネル２の落下を停止させてもよい。
【００８０】
上述の様に、本発明は最下段のパネルの両側面に上下に移動可能な遊嵌ブロック２７を有するブロック部２３を設け、該ブロック部２３に落下防止具を取付け、該落下防止具の有する連結プレートに開閉チェーン４の先端を連結することで実施可能であるので、大掛りな作業が必要なく、又低コストでパネルシャッタ１にパネル２の落下防止機能を付けることができる。
【００８１】
又、前記ブロック部２３及び前記落下防止具は最下段のパネル２のみに設けることで実施可能であるので、既存のパネルシャッタ１にも適用することができる。既存のパネルシャッタ１に対して適用する場合には、最下段のパネルのみを交換すればよく、パネル２の落下防止機能の追加が容易であり、且つ低コストで実現可能となる。
【符号の説明】
【００８２】
１              パネルシャッタ
２              パネル
３              ロングピン
４              開閉チェーン
８              ガイドレール
２０            落下防止片
２３            ブロック部
２５            長孔
２６            空間
２７            遊嵌ブロック
２９            落下防止具
３２            落下防止爪
３８            落下防止孔
３９            落下防止爪
４０            落下防止パッド
４１            落下防止爪
４２            落下防止具
４６            落下防止ブロック
４８            落下防止パッド
【図１】
0005436130.tif 000002
【図２】
0005436130.tif 000003
【図３】
0005436130.tif 000004
【図４】
0005436130.tif 000005
【図５】
0005436130.tif 000006
【図６】
0005436130.tif 000007
【図７】
0005436130.tif 000008
【図８】
0005436130.tif 000009
【図９】
0005436130.tif 000010
【図１０】
0005436130.tif 000011
【図１１】
0005436130.tif 000012
【図１２】
0005436130.tif 000013
【図１３】
0005436130.tif 000014
【図１４】
0005436130.tif 000015